(57)【要約】【課題】例文中で用いられている語句の変則的な発音や強弱の変化した発音について学習効果を高める。【解決手段】電子辞書装置１においては、ユーザ操作により例えば例文「You’re in good…」中の語句「autonomous」が登録語として指定され、この登録語「autonomous」と、当該登録語の指定を受けた登録語含有例文「You’re in good…」とが対応付けて記憶された後（図（ａ）〜図（ｃ））、登録語含有例文「You’re in good…」が音声出力対象となる（図（ｄ））。そして、ユーザ操作により登録語「autonomous」が再生対象語として指定されると、この登録語に対応付けて記憶された登録語含有例文「You’re in good…」が音声出力される。【選択図】図９
2008058678.tif 000002
【特許請求の範囲】
【請求項１】
複数の例文を音声出力する音声出力手段と、
ユーザ操作により前記複数の例文中の何れかの語句を登録語として指定する登録語指定手段と、
前記登録語と、前記複数の例文のうち、当該登録語の指定を受けた登録語含有例文とを対応付けて記憶する登録語例文記憶手段と、
前記登録語例文記憶手段に記憶された何れかの前記登録語をユーザ操作により再生対象語として指定する再生対象語指定手段と、
前記再生対象語に対応付けされて前記登録語例文記憶手段に記憶された前記登録語含有例文を前記音声出力手段に音声出力させる音声出力制御手段と、
を備えることを特徴とする音声出力装置。
【請求項２】
請求項１記載の音声出力装置において、
前記音声出力制御手段は、
前記登録語含有例文中での前記再生対象語のみを前記音声出力手段に音声出力させる登録語音声出力制御手段を有することを特徴とする音声出力装置。
【請求項３】
請求項２記載の音声出力装置において、
前記音声出力制御手段は、
前記音声出力手段に前記再生対象語を音声出力させた後、この再生対象語に対応する前記登録語含有例文を音声出力させる出力順序制御手段を有することを特徴とする音声出力装置。
【請求項４】
請求項１〜３の何れか一項に記載の音声出力装置において、
前記登録語指定手段は、
ユーザ操作された時点で前記音声出力手段により音声出力されている語句を前記登録語として指定する出力語句指定手段を有することを特徴とする音声出力装置。
【請求項５】
請求項１〜４の何れか一項に記載の音声出力装置において、
外部音声を録音する録音手段を備え、
前記登録語指定手段は、
ユーザ操作された時点で前記録音手段により録音されている語句を前記登録語として指定する録音語句指定手段を有することを特徴とする音声出力装置。
【請求項６】
請求項１〜５の何れか一項に記載の音声出力装置において、
各例文を表示する例文表示手段を備え、
前記登録語指定手段は、
前記例文表示手段により表示された例文中の語句をユーザ操作により前記登録語として指定する表示語句指定手段を有することを特徴とする音声出力装置。
【請求項７】
請求項６記載の音声出力装置において、
前記例文表示手段は、
前記記憶例文音声出力手段による音声出力中に前記登録語含有例文を表示させるとともに、表示された当該登録語含有例文の各単語を、当該単語の音声出力タイミングで識別表示することを特徴とする音声出力装置。
【請求項８】
請求項６または７記載の音声出力装置において、
前記例文表示手段は、
例文の音声データをテキストデータに変換するデータ変換手段と、
テキストデータに基づいて例文を表示するテキストデータ表示手段と、
を有することを特徴とする音声出力装置。
【請求項９】
請求項１〜８の何れか一項に記載の音声出力装置において、
各見出語に説明情報を対応付けて記憶する辞書情報記憶手段と、
前記再生対象語に対応する前記見出語の前記説明情報を表示する説明情報表示手段と、
を備えることを特徴とする音声出力装置。
【請求項１０】
コンピュータに、
複数の例文を音声出力する音声出力機能と、
ユーザ操作により前記複数の例文中の何れかの語句を登録語として指定する登録語指定機能と、
前記登録語と、前記複数の例文のうち、当該登録語の指定を受けた登録語含有例文とを対応付けて記憶する登録語例文記憶機能と、
前記登録語例文記憶機能によって記憶された何れかの前記登録語をユーザ操作により再生対象語として指定する再生対象語指定機能と、
前記再生対象語に対応付けされて前記登録語例文記憶機能に記憶された前記登録語含有例文を前記音声出力機能に音声出力させる音声出力制御機能と、
を実現させることを特徴とする音声出力プログラム。
【発明の詳細な説明】
【技術分野】
【０００１】
本発明は、音声を出力する音声出力装置及び音声出力プログラムに関する。
【背景技術】
【０００２】
従来、電子辞書装置などの情報表示装置では、ユーザに発音の学習をさせる観点から、単語や例文の音声が出力可能となっている（例えば、特許文献１，２参照）。
【０００３】
ところで、英語などの外国語における単語や成句等の語句の発音は、文中での用いられ方に応じて、語句そのものの標準的な発音ではなく、変則的な発音となるときがある。また、例文中の語句の重要度によりその語句をはっきり大きく発音したり、あいまいに小さく発音したりする場合もある。
【０００４】
例えば、子音で終わる単語の直後に、母音で始まる単語が文中で連続する場合には、当該文中における後者の単語は、音の繋がり、いわゆるリエゾンにより先頭の母音部分の発音が変化して、変則的な発音となる。また、英語の冠詞「the」は、母音で始まる名詞が文中で後に続く場合には、標準的な発音（≒「ザ」）ではなく、変則的な発音（≒「ジ」）となる。更に、代名詞「it」は、文中での重要度に応じて発音の強弱が異なる。
【特許文献１】特開平１１−２９６０６０号公報
【特許文献２】特開平１１−３３８８６２号公報
【発明の開示】
【発明が解決しようとする課題】
【０００５】
しかしながら、上記特許文献１，２に記載の電子辞書装置においては、音声出力対象の例文は、当該例文中で発音を学習すべき語句に必ずしも対応付けられてはいない。そのため、ユーザは個々の例文との関係において、語句の変則的な発音や強弱の変化する発音を学習できない場合がある。
【０００６】
本発明の課題は、例文中で用いられている語句の変則的な発音や強弱の変化した発音について学習効果を高めることができる音声出力装置及び音声出力プログラムを提供することである。
【課題を解決するための手段】
【０００７】
請求項１記載の発明は、音声出力装置（例えば、図１の電子辞書装置１）であって、
複数の例文を音声出力する音声出力手段（例えば、図２の音声出力部３；図７のステップＳ２５，Ｓ２７）と、
ユーザ操作により前記複数の例文中の何れかの語句を登録語として指定する登録語指定手段（例えば、図２の入力部５；図６のステップＳ１６）と、
前記登録語と、前記複数の例文のうち、当該登録語の指定を受けた登録語含有例文とを対応付けて記憶する登録語例文記憶手段（例えば、図２の登録語例文記憶テーブル８０；図６のステップＳ１７）と、
前記登録語例文記憶手段に記憶された何れかの前記登録語をユーザ操作により再生対象語として指定する再生対象語指定手段（例えば、図２の入力部５；図７のステップＳ２１）と、
前記再生対象語に対応付けされて前記登録語例文記憶手段に記憶された前記登録語含有例文を前記音声出力手段に音声出力させる音声出力制御手段（例えば、図２のＣＰＵ６及び音声出力プログラム８３；図７のステップＳ２７）と、
を備えることを特徴とする。
【０００８】
ここで、例文中の何れかの語句を指定するとは、１つの単語を指定しても良いし、成句や熟語を構成する複数の単語を指定しても良い。
【０００９】
請求項２記載の発明は、請求項１記載の音声出力装置において、
前記音声出力制御手段は、
前記登録語含有例文中での前記再生対象語のみを前記音声出力手段に音声出力させる登録語音声出力制御手段（例えば、図２のＣＰＵ６及び音声出力プログラム８３；図７のステップＳ２５）を有することを特徴とする。
【００１０】
請求項３記載の発明は、請求項２記載の音声出力装置において、
前記音声出力制御手段は、
前記音声出力手段に前記再生対象語を音声出力させた後、この再生対象語に対応する前記登録語含有例文を音声出力させる出力順序制御手段（例えば、図２のＣＰＵ６及び音声出力プログラム８３；図７のステップＳ２５，Ｓ２７）を有することを特徴とする。
【００１１】
請求項４記載の発明は、請求項１〜３の何れか一項に記載の音声出力装置において、
前記登録語指定手段は、
ユーザ操作された時点で前記音声出力手段により音声出力されている語句を前記登録語として指定する出力語句指定手段（例えば、図２の入力部５；図１５（ｂ）〜（ｄ））を有することを特徴とする。
【００１２】
請求項５記載の発明は、請求項１〜４の何れか一項に記載の音声出力装置において、
外部音声を録音する録音手段を備え、
前記登録語指定手段は、
ユーザ操作された時点で前記録音手段により録音されている語句を前記登録語として指定する録音語句指定手段（例えば、図２の入力部５；図１３のステップＴ１３）を有することを特徴とする。
【００１３】
請求項６記載の発明は、請求項１〜５の何れか一項に記載の音声出力装置において、
各例文を表示する例文表示手段（例えば、図２の表示部２；図６のステップＳ１５）を備え、
前記登録語指定手段は、
前記例文表示手段により表示された例文中の語句をユーザ操作により前記登録語として指定する表示語句指定手段（例えば、図２の入力部５；図６のステップＳ１６）を有することを特徴とする。
【００１４】
請求項７記載の発明は、請求項６記載の音声出力装置において、
前記例文表示手段は、
前記記憶例文音声出力手段による音声出力中に前記登録語含有例文を表示させるとともに、表示された当該登録語含有例文の各単語を、当該単語の音声出力タイミングで識別表示することを特徴とする。
【００１５】
ここで、単語を識別表示するとは、単語を反転表示することしても良いし、点滅させて表示することとしても良いし、下線を付して表示することとしても良い。
【００１６】
請求項８記載の発明は、請求項６または７記載の音声出力装置において、
前記例文表示手段は、
例文の音声データをテキストデータに変換するデータ変換手段（例えば、図２のＣＰＵ６及び音声認識プログラム８２；図６のステップＳ１２）と、
テキストデータに基づいて例文を表示するテキストデータ表示手段（例えば、図２の表示部２；図６のステップＳ１５）と、
を有することを特徴とする。
【００１７】
請求項９記載の発明は、請求項１〜８の何れか一項に記載の音声出力装置において、
各見出語に説明情報を対応付けて記憶する辞書情報記憶手段（例えば、図２の辞書データベース８４ａ）と、
前記再生対象語に対応する前記見出語の前記説明情報を表示する説明情報表示手段（例えば、図２の表示部２；図６のステップＳ１８）と、
を備えることを特徴とする。
【００１８】
請求項１０記載の発明は、音声出力プログラム（例えば、図２の音声出力プログラム８３）であって、
コンピュータ（例えば、図１の電子辞書装置１）に、
複数の例文を音声出力する音声出力機能（例えば、図７のステップＳ２５，Ｓ２７）と、
ユーザ操作により前記複数の例文中の何れかの語句を登録語として指定する登録語指定機能（例えば、図６のステップＳ１６）と、
前記登録語と、前記複数の例文のうち、当該登録語の指定を受けた登録語含有例文とを対応付けて記憶する登録語例文記憶機能（例えば、図６のステップＳ１７）と、
前記登録語例文記憶機能によって記憶された何れかの前記登録語をユーザ操作により再生対象語として指定する再生対象語指定機能（例えば、図７のステップＳ２１）と、
前記再生対象語に対応付けされて前記登録語例文記憶機能に記憶された前記登録語含有例文を前記音声出力機能に音声出力させる音声出力制御機能（例えば、図７のステップＳ２７）と、
を実現させることを特徴とする。
【発明の効果】
【００１９】
請求項１，１０記載の発明によれば、ユーザ操作により複数の例文中の何れかの語句が登録語として指定され、この登録語と、複数の例文のうち、当該登録語の指定を受けた登録語含有例文とが対応付けて記憶され、ユーザ操作により再生対象語として指定された登録語に対応付けて記憶された登録語含有例文が音声出力されるので、登録語に対応付けて登録語含有例文を記憶させ、音声出力対象とすることができる。従って、登録語が文中での用いられ方に応じて標準的な発音ではなく、変則的な発音や強弱の変化した発音となるときであっても、音声出力対象の例文が単語等の語句に対応付けられていない従来の場合と異なり、この登録語を例文と確実に対応付けて学習に用いることができるため、例文中で用いられている当該登録語の変則的な発音や強弱の変化した発音について、学習効果を高めることができる。
【００２０】
請求項２記載の発明によれば、登録語含有例文が音声出力されるのに加え、登録語含有例文中での再生対象語のみが音声出力されるので、当該再生対象語としての登録語の変則的な発音や強弱の変化した発音について、学習効果をいっそう高めることができる。
【００２１】
請求項３記載の発明によれば、再生対象語が音声出力された後、登録語含有例文が音声出力されるので、当該再生対象語としての登録語の変則的な発音や強弱の変化した発音について、学習効果をいっそう高めることができる。
【００２２】
請求項４記載の発明によれば、ユーザ操作された時点で音声出力手段により音声出力されている語句が登録語として指定されるので、登録語の指定を確実に行うことができる。
【００２３】
請求項５記載の発明によれば、ユーザ操作された時点で録音手段により録音されている語句が登録語として指定されるので、登録語の指定を確実に行うことができる。
【００２４】
請求項６記載の発明によれば、例文表示手段により表示された例文中の語句がユーザ操作により登録語として指定されるので、登録語の指定を確実に行うことができる。
【００２５】
請求項７記載の発明によれば、音声出力中に登録語含有例文が表示されるとともに、表示された登録語含有例文中の各単語が当該単語の音声出力タイミングで識別表示されるので、再生対象語としての登録語の変則的な発音や強弱の変化した発音について、学習効果をいっそう高めることができる。
【００２６】
請求項８記載の発明によれば、例文の音声データがテキストデータに変換され、テキストデータに基づいて例文が表示されるので、例文が音声データとして存在する場合であっても、請求項６または７記載の発明と同様の効果を得ることができる。
【００２７】
請求項９記載の発明によれば、再生対象語に対応する見出語の説明情報が表示されるので、当該説明情報に見出語の発音記号が含まれる場合には、当該発音記号と変則的な発音，強弱の変化した発音とを比較することができるため、変則的な発音や強弱の変化した発音について、学習効果をいっそう高めることができる。
【発明を実施するための最良の形態】
【００２８】
＜第１実施形態＞
以下、図面を参照して、本発明に係る音声出力装置を適用した電子辞書装置の第１実施形態について説明する。
【００２９】
［外観構成］
図１（ａ）は本実施形態における電子辞書装置１の斜視外観図である。
この図に示すように、電子辞書装置１は、ディスプレイ１０、スピーカ１１、マイク１２及びキー群１３を備えている。
【００３０】
ディスプレイ１０は、ユーザによるキー群１３の操作に応じた文字や符号等、各種データを表示する部分であり、ＬＣＤ（Liquid Crystal Display）やＥＬＤ（Electronic Luminescent Display）等によって構成されている。
【００３１】
スピーカ１１は、ユーザによるキー群１３の操作に応じた見出語や例文の音声を出力する部分である。
マイク１２は、ユーザによる朗読音声や外部機器による出力音声などの外部音声を集音する部分であり、本実施の形態においてはスピーカ１１と一体化されている。
【００３２】
キー群１３は、ユーザが電子辞書装置１を操作するための各種キーを有している。具体的には、図１（ｂ）に示すように、キー群１３は、訳／決定キー１３ｂと、文字キー１３ｃと、カーソルキー１３ｅと、シフトキー１３ｆと、戻るキー１３ｇと、音声出力キー１３ｈと、録音キー１３ｉ等とを有している。
【００３３】
訳／決定キー１３ｂは、検索の実行や、見出語の決定等に使用されるキーである。文字キー１３ｃは、ユーザによる文字の入力等に使用されるキーであり、本実施の形態においては“Ａ”〜“Ｚ”キーを備えている。
【００３４】
カーソルキー１３ｅは、ディスプレイ１０内で反転表示等により示されるカーソルの移動等に使用されるキーである。シフトキー１３ｆは、日本語の語句を検索対象に設定するとき等に使用されるキーである。戻るキー１３ｇは、前回表示した画面に戻るとき等に使用されるキーである。
【００３５】
音声出力キー１３ｈは、見出語や例文を音声出力させるとき等に使用されるキーである。録音キー１３ｉは、外部音声を録音させるとき等に使用されるキーである。
【００３６】
［内部構成］
図２は、電子辞書装置１の概略構成を示すブロック図である。
この図に示すように、電子辞書装置１は、表示部２、音声出力部３、録音部４、入力部５、ＣＰＵ６、ＲＡＭ７及びフラッシュＲＯＭ８を備えている。
【００３７】
表示部２は、上述のディスプレイ１０を備えており、ＣＰＵ６から入力される表示信号に基づいて各種情報をディスプレイ１０に表示するようになっている。
【００３８】
音声出力部３は、上述のスピーカ１１を備えており、ＣＰＵ６から入力される音声出力信号に基づいて音声データをスピーカ１１に再生させるようになっている。
【００３９】
録音部４は、上述のマイク１２を備えており、ＣＰＵ６から入力される録音信号に基づいて、マイク１２で集音された音声を録音し、音声データを作成するようになっている。
【００４０】
入力部５は、上述のキー群１３を備えており、押下されたキーに対応する信号をＣＰＵ６に出力するようになっている。
【００４１】
ＣＰＵ６は、入力される指示に応じて所定のプログラムに基づいた処理を実行し、各機能部への指示やデータの転送等を行い、電子辞書装置１を統括的に制御するようになっている。具体的には、ＣＰＵ６は、入力部５から入力される操作信号等に応じてフラッシュＲＯＭ８に格納された各種プログラムを読み出し、当該プログラムに従って処理を実行する。そして、ＣＰＵ６は、処理結果をＲＡＭ７に保存するとともに、当該処理結果を表示・音声出力するための信号を表示部２や音声出力部３に適宜出力して、対応した内容を表示・音声出力させる。
【００４２】
フラッシュＲＯＭ８は、電子辞書装置１の各種機能を実現するためのプログラムやデータを記憶するメモリである。本実施の形態においては、フラッシュＲＯＭ８は、登録語例文記憶テーブル８０と、辞書検索プログラム８１と、音声認識プログラム８２と、本発明に係る音声出力プログラム８３と、辞書データベース群８４等とを記憶している。
【００４３】
登録語例文記憶テーブル８０は、図３に示すように、後述の音声出力処理（図５〜図７参照）において設定された登録語と、当該登録語を含有する例文（以下、登録語含有例文とする）とを対応付けて記憶しており、より詳細には、登録語に対して、登録語含有例文全体の例文音声データと、例文音声データを音節毎に分割した複数の音区切り音声データと、これら音区切り音声データのうち、登録語に対応する部分の登録語音声データと、登録語含有例文全体のテキストデータとを対応付けている。
【００４４】
辞書検索プログラム８１は、従来より公知の辞書検索処理、即ち、ユーザ操作で指定された指定見出語に対応する説明情報を検索して表示する処理を、ＣＰＵ６に実行させるためのプログラムである。
【００４５】
音声認識プログラム８２は、音声データの形式で表現された各単語を認識してテキスト化する処理を、ＣＰＵ６に実行させるためのプログラムである。なお、このような処理としては、従来より公知の処理を用いることができる。
【００４６】
音声出力プログラム８３は、後述の音声出力処理（図５〜図７参照）をＣＰＵ６に実行させるためのプログラムである。
【００４７】
辞書データベース群８４は、少なくとも１種類の辞書データベースを有しており、本実施の形態においては、「ジー○アス英和辞典」の辞書データベース８４ａを有している。
【００４８】
この辞書データベース８４ａは、例えば図４に１例を示すように、複数の見出語と、この見出語を詳細に説明する説明情報とを対応付けて格納している。ここで、説明情報には、見出語のアクセントや、見出語を含む例文が含まれる。また、この辞書データベース８４ａには、見出語の標準的な発音についての音声データや、少なくとも１部の例文に対応する圧縮音声データが格納されている。
【００４９】
また、上述の図２に示すように、ＲＡＭ７は、ＣＰＵ６が実行する各種プログラムや、これらプログラムの実行に係るデータ等を一時的に保持するメモリであり、本実施の形態においては、検索対象見出語記憶領域７１を備えている。
【００５０】
この検索対象見出語記憶領域７１には、辞書検索処理が実行された場合に辞書引きする対象としてユーザ操作によって指定された指定見出語が記憶されるようになっている。
【００５１】
［音声出力処理］
続いて、電子辞書装置１の動作について説明する。図５〜図７は、ＣＰＵ６がフラッシュＲＯＭ８から音声出力プログラム８３を読み出して実行する音声出力処理の動作を説明するためのフローチャートである。
【００５２】
まず、図５に示すように、ユーザにより録音キー１３ｉが操作されると、ＣＰＵ６は、例文登録処理を行う（ステップＳ１）。
【００５３】
具体的には、図６に示すように、まず、ＣＰＵ６は、ユーザによる朗読音声などの外部音声を録音して例文音声データを作成するとともに（ステップＳ１１）、音声認識プログラム８２を実行して例文のテキストデータを作成した後（ステップＳ１２）、当該テキストデータに基づいて例文音声データを音節毎に分割することにより、音区切り音声データを作成する（ステップＳ１３）。
【００５４】
例えば、図８に示すように、外部音声により例文「You’re in good condition …」が入力されると、例文音声データ及びテキストデータが作成された後（ステップＳ１１，Ｓ１２）、音区切り音声データが作成される（ステップＳ１３）。なお、例文音声データを音節毎に分割する手法としては、従来より公知の手法を用いることができる。
【００５５】
次に、ＣＰＵ６は、作成したテキストデータと、例文音声データと、音区切り音声データとを対応付けて登録語例文記憶テーブル８０に記憶させるとともに（ステップＳ１４）、テキストデータに基づいて例文をディスプレイ１０に表示させる（ステップＳ１５）。
【００５６】
例えば、図８のテキストデータ等が登録語例文記憶テーブル８０に記憶された場合には、図９（ａ）に示すように、当該テキストデータに基づいて例文「You’re in good condition …」がディスプレイ１０に表示される。
【００５７】
次に、表示された例文中の何れかの語句がカーソルキー１３ｅや訳／決定キー１３ｂ等の操作により登録語として指定されると（ステップＳ１６）、ＣＰＵ６は、ステップＳ１３で作成した音区切り音声データのうち、登録語に対応する登録語音声データを検出した後、これら登録語及び登録語音声データを、登録語例文記憶テーブル８０中のテキストデータ、例文音声データ及び音区切り音声データと対応付けて登録語例文記憶テーブル８０に記憶させる（ステップＳ１７）。なお、登録語の指定の際には、シフトキー１３ｆをカーソルキー１３ｅと併せて操作することにより、複数の単語を指定することとしても良い。
【００５８】
そして、ＣＰＵ６は、辞書検索プログラム８１を実行することにより、登録語に対応する見出語の説明情報を検索してディスプレイ１０に表示させるとともに（ステップＳ１８）、デフォルトではない例文についての音声出力マーク（以下、追加音声マークとする）Ｍ１（図９（ｄ）参照）をディスプレイ１０に表示させ（ステップＳ１９）、例文登録処理を終了する。
【００５９】
例えば、図９（ａ）に示した状態から、図９（ｂ），（ｃ）に示すように、例文「You’re in good condition …」中の単語「autonomous」が登録語として指定されると（ステップＳ１６）、図９（ｄ）に示すように、見出語「autonomous」の説明情報と追加音声マークＭ１とがディスプレイ１０に表示される（ステップＳ１８，Ｓ１９）。
【００６０】
次に、図５に示すように、ＣＰＵ６は、再生処理を行う（ステップＳ２）。
具体的には、図７に示すように、登録語例文記憶テーブル８０に記憶されている登録語が辞書引き対象の指定見出語としてユーザ操作により入力・選択されると（ステップＳ２１）、ＣＰＵ６は、辞書検索プログラム８１を実行することにより当該指定見出語の説明情報をディスプレイ１０に表示させるとともに（ステップＳ２２）、登録語例文記憶テーブル８０から見出語に対応する登録語を検索し、検索された登録語を再生対象語として設定した後、この再生対象語を含有する登録語含有例文と、追加音声マークＭ１とをディスプレイ１０に併せて表示させる（ステップＳ２３）。
【００６１】
なお、本実施の形態における辞書検索処理においては、ＣＰＵ６は、入力された指定見出語に前方一致する見出語を先頭にして、辞書データベース８４ａから順に見出語を読み出してディスプレイ１０に一覧表示させる。また、ＣＰＵ６は、見出語一覧内の先頭の見出語を反転表示させ、反転表示により指定された見出語の説明情報を、見出語一覧とは別領域でディスプレイ１０にプレビュー表示させる。そして、カーソルキー１３ｅや訳／決定キー１３ｂ等の操作により見出語一覧から何れかの見出語が指定されると、ＣＰＵ６は、当該見出語の説明情報をディスプレイ１０に全画面表示させる。
【００６２】
これにより、例えば、図１０（ａ）に示すように、登録語「get out of」が例文「get out of here.」と対応付けて登録語例文記憶テーブル８０に記憶されている状態で、ユーザ操作により見出語「get」、「out」及び「of」が入力されると（ステップＳ２１）、当該見出語「get」、「out」及び「of」に前方一致する見出語が一覧表示され、反転表示により指定された見出語「get out of O」の説明情報がプレビュー表示される。また、見出語に対応する登録語「get out of」が再生対象語として設定され、この再生対象語「get out of」を含有する登録語含有例文「get out of here.」がディスプレイ１０の右上に表示される（ステップＳ２３）。そして、図１０（ｂ）に示すように、見出語一覧から見出語「get out of O」が指定されると、当該見出語「get out of O」の説明情報が全画面表示される（ステップＳ２２）。
【００６３】
同様に、例えば、図１１（ａ）に示すように、登録語「it」が例文「I see. I got it.」と対応付けて登録語例文記憶テーブル８０に記憶されている状態で、ユーザ操作により見出語「it」が入力されると（ステップＳ２１）、当該見出語「it」に前方一致する見出語が一覧表示され、反転表示により指定された見出語「it」の説明情報がプレビュー表示される。また、見出語に対応する登録語「it」が再生対象語として設定され、この再生対象語「it」を含有する登録語含有例文「I see. I got it.」がディスプレイ１０の右上に表示される（ステップＳ２３）。そして、図１１（ｂ）に示すように、見出語一覧から見出語「it」が指定されると、当該見出語「it」の説明情報が全画面表示される（ステップＳ２２）。
【００６４】
なお、図１０、図１１において、登録語含有例文中の「get out of」，「it」に付された下線は、「get out of」，「it」が登録語であることを示している。
【００６５】
次に、追加音声マークＭ１にカーソルが位置した状態でユーザにより音声出力キー１３ｈが操作されると（ステップＳ２４）、ＣＰＵ６は、登録語含有例文の全体をディスプレイ１０に表示させた状態で、登録語含有例文中での再生対象語のみを登録語音声データに基いて音声出力する（ステップＳ２５）。
【００６６】
次に、ユーザにより音声出力キー１３ｈが再度操作されると（ステップＳ２６）、ＣＰＵ６は、登録語含有例文の全体を例文音声データに基づいて音声出力するとともに（ステップＳ２７）、ディスプレイ１０に表示された登録語含有例文中の各単語を、その音声出力タイミングで識別表示させる。
【００６７】
例えば、図１０（ｂ）に示した状態から音声出力キー１３ｈが１回操作されると（ステップＳ２４）、図１０（ｃ）示すように、登録語含有例文「get out of here.」における再生対象語「get out of」のみが音声出力される（ステップＳ２５）。また、音声出力キー１３ｈが再度操作されると（ステップＳ２６）、図１２に示すように、当該登録語含有例文の全体が音声出力されるとともに（ステップＳ２７）、登録語含有例文中の各単語が当該単語の音声出力タイミングで反転表示により識別表示される。なお、図１２では、スピーカ１１から出力される音声を吹出しＦで示している。
【００６８】
同様に、図１１（ｂ）に示した状態から音声出力キー１３ｈが１回操作されると（ステップＳ２４）、図１１（ｃ）に示すように、登録語含有例文「I see. I got it.」における再生対象語「it」のみが音声出力され（ステップＳ２５）、２回操作されると（ステップＳ２６）、当該登録語含有例文の全体が音声出力されるとともに（ステップＳ２７）、登録語含有例文中の各単語が当該単語の音声出力タイミングで反転表示により識別表示される。
【００６９】
そして、ＣＰＵ６は、再生処理を終了した後、図５に示すように、音声出力処理を終了する。
【００７０】
以上の電子辞書装置１によれば、図６のステップＳ１６，Ｓ１７、図７のステップＳ２１，Ｓ２７、図９〜図１２に示したように、ユーザ操作により複数の例文中の何れかの語句が登録語として指定され、この登録語と、複数の例文のうち、当該登録語の指定を受けた登録語含有例文とが対応付けて記憶され、ユーザ操作により再生対象語として指定された登録語に対応付けて記憶された登録語含有例文が音声出力されるので、登録語に対応付けて登録語含有例文を記憶させ、音声出力対象とすることができる。従って、登録語が文中での用いられ方に応じて標準的な発音ではなく、変則的な発音や強弱の変化した発音となるときであっても、音声出力対象の例文が単語等の語句に対応付けられていない従来の場合と異なり、この登録語を例文と確実に対応付けて学習に用いるすることができるため、例文中で用いられている当該登録語の変則的な発音や強弱の変化した発音について、学習効果を高めることができる。
【００７１】
また、図７のステップＳ２５，Ｓ２７、図１０、図１１に示したように、再生対象語が音声出力された後、登録語含有例文が音声出力されるので、当該再生対象語としての登録語の変則的な発音や強弱の変化した発音について、学習効果をいっそう高めることができる。
【００７２】
また、図７のステップＳ２７、図１２に示したように、音声出力中に登録語含有例文が表示されるとともに、表示された登録語含有例文中の各単語が当該単語の音声出力タイミングで識別表示されるので、再生対象語としての登録語の変則的な発音や強弱の変化した発音について、学習効果をいっそう高めることができる。
【００７３】
また、図７のステップＳ２２、図９〜図１２に示したように、再生対象語に対応する見出語の説明情報が表示され、当該説明情報には見出語の発音記号が含まれるので、発音記号で示される標準的な発音と、変則的な発音や強弱の変化した発音とを比較することができる。同様に、図４に示したように、辞書データベース８４ａには、見出語の標準的な発音についての音声データが説明情報に対応付けて記憶されているので、標準的な発音と変則的な発音，強弱の変化した発音とを比較することができる。従って、変則的な発音や強弱の変化した発音について、学習効果をいっそう高めることができる。
【００７４】
また、図６のステップＳ１６、図９に示したように、ディスプレイ１０に表示された例文中の語句がユーザ操作により登録語として指定されるので、登録語の指定を確実に行うことができる。
【００７５】
＜第２実施形態＞
続いて、第２実施形態における電子辞書装置について説明する。なお、上記第１実施形態と同様の構成要素には同一の符号を付し、その説明を省略する。
【００７６】
上述の図２に示すように、本実施形態における電子辞書装置１Ａは、フラッシュＲＯＭ８Ａを備えており、このフラッシュＲＯＭ８Ａは、本発明に係る音声出力プログラム８３Ａを記憶している。
【００７７】
この音声出力プログラム８３Ａは、後述の音声出力処理（図５，図１３，図７参照）をＣＰＵ６に実行させるためのプログラムである。
【００７８】
続いて、電子辞書装置１Ａの動作について説明する。図５，図１３，図７は、ＣＰＵ６がフラッシュＲＯＭ８Ａから音声出力プログラム８３Ａを読み出して実行する音声出力処理の動作を説明するためのフローチャートである。なお、電子辞書装置１Ａの動作は、上述の電子辞書装置１の動作と比較して例文登録処理（図５参照）のみが異なっているため、以下、この例文登録処理のみについて説明する。
【００７９】
本実施の形態における例文登録処理においては、図１３に示すように、まず、ＣＰＵ６は、外部音声を録音して例文音声データの作成を開始するとともに（ステップＴ１１）、訳／決定キー１３ｂの操作により登録語の指定がされるか否かを判定し（ステップＴ１２）、指定がされていないと判定した場合（ステップＴ１２；Ｎｏ）には、後述のステップＴ１４の処理に移行する。
【００８０】
一方、ステップＴ１２において登録語の指定がされていると判定した場合（ステップＴ１２；Ｙｅｓ）には、ＣＰＵ６は、訳／決定キー１３ｂの操作による指定タイミングで録音されている語句を、登録語として設定する（ステップＴ１３）。なお、登録語の指定の際には、訳／決定キー１３ｂを押下し続けることにより、複数の単語を指定することとしても良い。
【００８１】
次に、ＣＰＵ６は、外部音声の録音が終了したか否かを判定し（ステップＴ１４）、終了していないと判定した場合（ステップＴ１４；Ｎｏ）には、上述のステップＴ１２の処理に移行する。
【００８２】
一方、ステップＴ１４において外部音声の録音が終了したと判定した場合（ステップＴ１４；Ｙｅｓ）には、ＣＰＵ６は、当該外部音声を音声認識して例文のテキストデータを作成する（ステップＴ１５）。
【００８３】
次に、ＣＰＵ６は、テキストデータに基づいて例文音声データを音節毎に分割することにより、音区切り音声データを作成した後（ステップＴ１６）、作成した音区切り音声データのうち、登録語に対応する登録語音声データを検出し、登録語、登録語音声データ、テキストデータ、例文音声データ及び音区切り音声データと対応付けて登録語例文記憶テーブル８０に記憶させる（ステップＴ１７）。
【００８４】
そして、ＣＰＵ６は、テキストデータに基づいて例文をディスプレイ１０に表示させ（ステップＴ１８）、例文登録処理を終了する。
【００８５】
以上の電子辞書装置１Ａによれば、上記第１実施形態における電子辞書装置１と同様の効果を得ることができるのは勿論のこと、図１３のステップＴ１３に示したように、ユーザ操作された時点で録音されている語句が登録語として指定されるので、登録語の指定を確実に行うことができる。
【００８６】
なお、本発明を適用可能な実施形態は、上述した実施形態に限定されることなく、本発明の趣旨を逸脱しない範囲で適宜変更可能である。
【００８７】
例えば、再生処理においては、辞書検索処理により指定見出語の説明情報が表示された状態で音声出力キー１３ｈが操作されることにより音声出力が実行されることとして説明したが（図７参照）、図１４（ａ）に示すように、ユーザ操作に基づいて登録語例文記憶テーブル８０内の登録語をディスプレイ１０に一覧表示させ、この登録語一覧から登録語を選択した状態で音声出力キー１３ｈが操作されることにより、音声出力が実行されることとしても良い。また、この場合、図１４（ａ），（ｂ）に示すように、登録語一覧の各登録語に対し、説明情報の格納されている辞書データベース８４ａの名称をそれぞれ付記しておき、訳／決定キー１３ｂ等が操作された場合には、反転表示で指定された登録語の説明情報を当該辞書データベース８４ａから検索し、登録語一覧とは別領域でディスプレイ１０にプレビュー表示させることが好ましい。
【００８８】
また、音声データを登録語例文記憶テーブル８０や辞書データベース８４ａに記憶されることとして説明したが、他の記憶領域に記憶されることとしても良い。この場合には、登録語例文記憶テーブル８０及び辞書データベース８４ａには、音声データのアドレスのみが記憶されることとなる。
【００８９】
また、録音された外部音声の音声データを登録語と対応付けて登録語例文記憶テーブル８０に記憶させることとして説明したが、辞書データベース８４ａ等にデフォルトで記憶されている音声データを登録語と対応付けて登録語例文記憶テーブル８０に記憶させることとしても良い。
【００９０】
また、第１実施形態においては、ディスプレイ１０に表示されている例文中から登録語を設定することとして説明したが、図１５に示すように、例文の再生中に訳／決定キー１３ｂ等を操作することにより、操作タイミングで再生されている語句を登録語として設定することとしても良い。この場合には、ユーザ操作された時点で音声出力されている語句が登録語として指定されるので、登録語の指定を確実に行うことができる。ここで、図１５では、例文「get out of here.」のうち、「get out of」を登録語として設定した場合を図示しており、また、スピーカ１１から出力される音声を吹出しＦで示している。
【図面の簡単な説明】
【００９１】
【図１】本発明にかかる音声出力装置を適用した電子辞書装置の概略構成を示す図であり、（ａ）は概観図であり、（ｂ）は部分平面図である。
【図２】本発明にかかる音声出力装置を適用した電子辞書装置の概略構成を示すブロック図である。
【図３】登録語例文記憶テーブルのデータ構造を示す図である。
【図４】辞書データベースのデータ構造を示す図である。
【図５】音声出力処理を示すフローチャートである。
【図６】例文登録処理を示すフローチャートである。
【図７】再生処理を示すフローチャートである。
【図８】外部音声から例文音声データ、テキストデータ、音区切り音声データを作成する処理を示す概念図である。
【図９】ディスプレイの表示内容を示す図である。
【図１０】ディスプレイの表示内容を示す図である。
【図１１】ディスプレイの表示内容を示す図である。
【図１２】ディスプレイの表示内容を示す図である。
【図１３】例文登録処理を示すフローチャートである。
【図１４】ディスプレイの表示内容を示す図である。
【図１５】ディスプレイの表示内容を示す図である。
【符号の説明】
【００９２】
１，１Ａ      電子辞書装置（音声出力装置）
２            表示部（例文表示手段、テキストデータ表示手段、説明情報表示手段）
３            音声出力部（音声出力手段）
５            入力部（登録語指定手段、再生対象語指定手段、出力語句指定手段、
録音語句指定手段、表示語句指定手段）
６            ＣＰＵ（音声出力制御手段、登録語音声出力制御手段、
出力順序制御手段、データ変換手段）
８０          登録語例文記憶テーブル（登録語例文記憶手段）
８２          音声認識プログラム（データ変換手段）
８３，８３Ａ  音声出力プログラム
８４ａ        辞書データベース（辞書情報記憶手段）
【図１】
2008058678.tif 000003
【図２】
2008058678.tif 000004
【図３】
2008058678.tif 000005
【図４】
2008058678.tif 000006
【図５】
2008058678.tif 000007
【図６】
2008058678.tif 000008
【図７】
2008058678.tif 000009
【図８】
2008058678.tif 000010
【図９】
2008058678.tif 000011
【図１０】
2008058678.tif 000012
【図１１】
2008058678.tif 000013
【図１２】
2008058678.tif 000014
【図１３】
2008058678.tif 000015
【図１４】
2008058678.tif 000016
【図１５】
2008058678.tif 000017